(57)【要約】【課題】  組立が簡易である他、例え長時間使用後してもスクリーンは依然として脱落せず、使用寿命が延長できる電動スクリーンのリールと対重棒との組立構造を提供する。【解決手段】  主としては曲げ弧状電動スクリーンのリールと対重棒との組立構造の支え持ちシート２５によって嵌め溝１６の所に持ち止められることで、スクリーン５が軸本体１と嵌めシート２および対重棒の左・右半分の中に引き止められるようになって潰折れ式の安定した定位状態になるものである電動スクリーンのリールと対重棒との組立構造である。【選択図】    図７
0003103323.tif 000002
【実用新案登録請求の範囲】
【請求項１】
リールは軸本体および嵌めシートを備え、
軸本体は、軸本体の表面に凹溝を設けて凹溝の一側に突出棒を形成し、突出棒の一側に溝を形成し、溝の一側に斜めに切った嵌め物を形成し、斜めに切った嵌め溝の一側に窪んだ溝が設けられ、窪んだ溝の一側に嵌め溝が形成され、
嵌めシートは、その一端に突出物が設けられ、突出物の一側に貫通部を形成し、貫通部の一側に斜めに切ったフック部が設けられ、斜めに切ったフック部の一側にも貫通部があり、貫通部の一側に曲げ弧状の支え持ちシートを形成していることを特徴とする電動スクリーンのリールと対重棒との組立構造。
【請求項２】
対重棒は棒本体を分けられている左半分および右半分を備え、
左半分は、その中間を貫通部にし、底部を突出円に曲げて設け、突出円の内側に滑り溝を形成し、滑り溝の頂き側に突出物を形成し、突出物の頂き側に斜めに切った嵌め物を形成し、斜めに切った嵌め物の頂き側に窪んだ溝が設けれ、窪んだ溝の頂き側に嵌め溝が形成され、
右半分は、その中間も貫通部にし、底部をアーチに曲げて設けられ、アーチの頂き側に貫通部を形成し、貫通部の頂き側にフック部を形成し、フック部の頂き側にも貫通部があり、貫通部の頂き側に曲げ弧状の支え持ちシートが形成されていることを特徴とする電動スクリーンのリールと対重棒との組立構造。
【考案の詳細な説明】
【技術分野】
【０００１】
本考案は電動スクリーンのリールと対重棒との組立構造を提供して、主としては曲げ弧状の支え持ちシートによって嵌め溝の所に持ち止めることで、スクリーンが軸本体と嵌めシートおよび対重棒の左・右半分の中とに引き止められるようになって潰折れ式の安定した定位状態になり、組立が簡易である他、例え長時間の使用後でもスクリーンは依然として脱落せず、使用寿命が延長できる実用性のあるものである。
【背景技術】
【０００２】
現代になって各種のデータ放送の動きは日増しに増えてきたため、プロジェクターを使って教学デモ、データ伝播を行うのは至る所で見られるようになった。そしてそれと合わせて使われるスクリーンも欠かすことができなくなる。図１および２を参照する。使用する際、スクリーンのかけ枠１０は壁に固着しておいて電動伝送によってスクリーン２０および対重棒５０を定められた長さまで引き出してから初めて投影に使われる。
【０００３】
続けて図３を参照する。従来知られたスクリーン２０とリール３０とを組立てる過程において、まずセロテープ４０をスクリーン２０およびリール３０に貼っておいてから固着でき実施できるものである。
また、スクリーン２０の底部２０１に皆一つの対重棒５０が設けてあるためにスクリーン２０が昇降する度にひっくり返らず、且つ対重棒５０によって挟み持たれているためにスクリーン２０で投影を受け取る時に平穏を保つことができ、揺れ難くなる。
【０００４】
そして従来知られた対重棒５０を組立てる時、まず二枚の一定の厚さを持つ板紙Ａを用いてスクリーン２０の底部２０１にある一定の高さを挟んでからホッチキスで段階を分けて一つずつ固定し、対重棒５０を一定の厚さを持つ板紙Ａに貫いてから定位させて対重にし、最後に外キャップ６０を対重棒５０の両端に被せる（図４〜６に示すように）。
【０００５】
従来知られたスクリーン２０のリール３０と対重棒５０とを組立てる過程において固着の目的に達することはできるが、長時間の使用によって次のような解決策が必要になるという欠点がある。
【０００６】
その一、スクリーンにＰＶＣ布のフォーミング剤が含まれているため、もし長期間渡ってセロテープと接触するとセロテープの粘着剤が粘性を失うのでスクリーンが脱落しやすくなる。
その二、セロテープは長期間の使用を経て温度が下がったり上がったりする変化によってその粘着性も影響を受けるため、スクリーンが脱落しやすくなる。
その三、スクリーンは前もって板紙で挟み合わせてから一つずつホッチキスで固定するため過程が複雑であるだけでなく時間が無駄になるので、万が一操作が不当であるとスクリーンに皺ができてしまう。
その四、スクリーンはある期間使用された後、必ず表面の汚れを清掃しなければならないため、板紙が湿気を受けて破損しやすくなり再び改めて取り替えることが必要になってかなり面倒になる。
その五、板紙によって挟まれて固定すると対重棒を被せなければならないため、施工手順が増え、時間も費やし、且つ板紙の厚さを対重棒と一致させて初めて操作が実施できるために一層施工が困難である。
【考案の開示】
【考案が解決しようとする課題】
【０００７】
よって本考案の目的は、電動スクリーンのリールと対重棒との組立構造を提供することであり、それは組立が簡易である他、例え長時間使用後してもスクリーンは依然として脱落せず、使用寿命が延長できるものである。
【課題を解決するための手段】
【０００８】
上記課題を解決するための本考案の電動スクリーンのリールと対重棒との組立構造は、主としては曲げ弧状電動スクリーンのリールと対重棒との組立の改良の支え持ちシートによって嵌め溝の所に持ち止められることで、スクリーンが軸本体と嵌めシートおよび対重棒の左・右半分の中に引き止められるようになって潰折れ式の安定した定位状態になるものである。
【考案を実施するための最良の形態】
【０００９】
図７を参照する。本考案の実施例による電動スクリーンのリールと対重棒との組立構造では、リールは主として軸本体１および嵌めシート２からなる。その中において、その軸本体１は軸本体１の表縁面の一端に凹溝１１を設けて、凹溝１１の一側に突出棒１２を形成して、突出棒１２の一側に溝１３を形成して、溝１３の一側に斜めに切った嵌め物１４を形成して、斜めに切った嵌め物１４の一側に窪んだ溝１５が設けてあり、その改良した特徴とは窪んだ溝１５の一側に嵌め溝１を形成したことにある。
【００１０】
その嵌めシート２はその一端に突出物２１を設けて、突出物２１の一側に貫通部２２を形成して、貫通部２２の一側に斜めに切ったフック部２３を設けて、斜めに切ったフック部２３の一側にも貫通部２４があり、その改良した特長とは貫通部２４の一側に曲げ弧状の支え持ちシート２５を形成したことにある。
【００１１】
続けて図１０を参照する。本考案の実施例による電動スクリーンのリールと対重棒との組立構造では、対重棒は主として棒本体３を左半分３１および右半分３２に分けてからなるものである。その中において、その左半分３１は底部に突出円３１１を曲げて設けて、突出円３１１の内側に滑り溝３１２を形成して、滑り溝３１２の頂き側に突出物３１３を形成して、突出物３１３の頂き側に貫通部３１４を形成して、貫通部３１４の頂き側に斜めに切った嵌め物３１５を形成して、斜めに切った嵌め物３１５の頂き側に窪んだ溝３１６が設けてあり、その改良した特徴とは窪んだ溝３１６の頂き側に嵌め溝３１７を形成したことにある。
【００１２】
その右半分３２は底部にアーチ３２１を曲げて設け、アーチ３２１の頂き側に貫通部３２２を形成して、貫通部３２２の頂き側にフック部３２３を形成して、フック部３２３の頂き側にも貫通部３２４があり、その改良した特徴とは貫通部３２４の頂き側に曲げ弧状の支え持ちシート３２５を形成したことにある。
【００１３】
リールを組立てて実施することについては図８を参照する。まず嵌めシート２の突出物２１を軸本体の凹溝１１の中に入れて、それからスクリーン５の一端を窪んだ溝１５の中に入れて、そして軸本体１を嵌めシート２と押し合わせることによって斜めに切ったフック部２３が斜めに切った嵌め物１４を滑って嵌め入れ状態になり、同時に曲げ弧状の支え持ちシート２５は嵌め溝１６の所に引き止められるようになったためにスクリーン５の一端が軸本体１および嵌めシート２の中に止められて潰折れ式の安定した定位状態になり、図９に示すようになる。スクリーン５を外したい場合、まず軸本体１と嵌めシート２とを一定の距離までずらせばよい。
【００１４】
対重棒３を組立てて実施するについて図１１を参照する。まず、右半分３２のアーチ３２１を左半分３１の滑り溝３１２に入れておき、続けてスクリーン５の他の一端を左半分３１の窪んだ溝３１６に入れてから左・右半分３１、３２を押し合わせることによってフック部３２３が斜めに切った嵌め物３１５を滑って嵌めるように固着状態になると同時に、曲げ弧状の支え持ちシート３２５は嵌め溝３１７の所に引っかかるため、スクリーン５のもう一端が左・右半分３１、３２の中に止められるようになったことで潰折れ式の安定した定位状態になり、図１２のようになる。最後は、外キャップ６を対重棒５０の両端に被せる。スクリーン５の他の一端を外す場合、まず左・右半分３１、３２を一定の距離までずらせばよい。図１０を参照する。上述のような組立の実施によって組立は簡易になり、例え長時間使用してもスクリーン５は依然として脱落しなく、図３に示されたように有効的に使用寿命が延長できる実用性を持つものになる。
【００１５】
上述したものは本考案の好ましい実施例に過ぎないものであるためにそれを以って本考案の実施範囲を限定することはできない。本考案の実用新案登録請求の範囲による、均等な変化と修飾は皆本考案の実用新案登録請求の範囲に属すべきものである。
【図面の簡単な説明】
【００１６】
【図１】従来のスクリーンを壁に固着して使用する場合を示す正面図である。
【図２】従来のスクリーンとリールとをセロテープで貼って使用する場合を示す側面図である。
【図３】従来のスクリーンとリールとをセロテープで貼る場合を示す外観斜視図である。
【図４】従来の対重棒を示す分解斜視図である。
【図５】従来の対重棒を組立てた状態を示す部分外観斜視図である。
【図６】従来の対重棒を組立てた状態を示す断面図である。
【図７】本考案の実施例による電動スクリーンのリールと対重棒との組立構造におけるスクリーンのリールを組立てる状態を示す分解斜視図である。
【図８】本考案の実施例による電動スクリーンのリールと対重棒との組立構造におけるスクリーンのリールを組立てる状態を示す断面図（一）である。
【図９】本考案の実施例による電動スクリーンのリールと対重棒との組立構造におけるスクリーンのリールを組立てる状態を示す断面図（二）である。
【図１０】本考案の実施例による電動スクリーンのリールと対重棒との組立構造の対重棒を左・右半分にずらした状態を示す分解斜視図である。
【図１１】本考案の実施例による電動スクリーンのリールと対重棒との組立構造の対重棒を組立てる状態を示す断面図(一)である。
【図１２】本考案の実施例による電動スクリーンのリールと対重棒との組立構造の対重棒を組立てる状態を示す断面図(二)である。
【図１３】本考案の実施例による電動スクリーンのリールと対重棒との組立構造を実施している状態を示す断面図である。
【符号の説明】
【００１７】
１０  スクリーンのかけ枠、２０  スクリーン、２０１  底部、３０  リール、４０  セロテープ、５０  対重棒、６０  外キャップ、Ａ  板紙、１  軸本体、１１  凹溝、１２  突出棒、１３  溝、２２、２４、３２４  貫通部、１４、３１５  斜めに切った嵌め物、１５、３１６窪んだ溝、１６、３１７  嵌め溝、２  嵌めシート、２１、３１３  突出物、２３  斜めに切ったフック部、２５、３２５  支え持ちシート、３  棒本体、３１  左半分、３１１  突出円、３１２  滑り溝、３２  右半分、３２１  アーチ、３２３  フック部、５  スクリーン、６  外キャップ
【図１】
0003103323.tif 000003
【図２】
0003103323.tif 000004
【図３】
0003103323.tif 000005
【図４】
0003103323.tif 000006
【図５】
0003103323.tif 000007
【図６】
0003103323.tif 000008
【図７】
0003103323.tif 000009
【図８】
0003103323.tif 000010
【図９】
0003103323.tif 000011
【図１０】
0003103323.tif 000012
【図１１】
0003103323.tif 000013
【図１２】
0003103323.tif 000014
【図１３】
0003103323.tif 000015